(57)【要約】【課題】トラクタと作業機間の位置関係を保持したまま多種作業機に共通して割込み装着ができ、走行作業に際し溝ガイドによるトラクタタイヤ追従通路が形成される溝切りマーカー装置を提供する【解決手段】  横長支持バーに複数の溝切りアームを取付けた溝切りマーカー装置本体に作業機のロワリンク取付プレートに結合される下部支持部材と、作業機のトップリンク取付部付近のフレームに結合される上部支持部材とを具備する。  上部支持部材は、横長支持バーに係合される取付フレームに支点孔と円弧長孔を形成したベース部材に、ねじロッド係着ナットを固着した回動ブロッを係着する。上端にブラケットと貫通係着部材を取り付けたねじロッドを前記ねじロッド係着ナットに伸縮螺合する。前記貫通係着部材に係着した第２のねじロッドと前記ベースブロックのブラケット間にトップリンク連結アームを挾む締付帯を連結する。【選択図】   図１
2006320283.tif 000002
【特許請求の範囲】
【請求項１】
トップリンクとロワリンクで連結されるトラクタと作業機の間に装着されるガイドライン溝切りマーカー装置であって、
横長支持バーの長手方向に沿って複数本の下向き溝切りアームを所定間隔で取付けた溝切りマーカー装置本体と、
溝切りマーカー装置本体の前記横長支持バーに沿って取付けられ、作業機のロワリンク取付プレートに結合される下部支持部材と、
溝切りマーカー装置本体の前記横長支持バー中央部に取付けられ、作業機のトップリンク取付部付近のフレームに結合される上部支持部材とを具備し、トップリンクとロワリンクの取付位置を変えずに、上記下部支持部材と上部支持部材により、溝切りマーカー装置本体がトラクタと作業機間に装着されるようにしたことを特徴とするガイドライン溝切りマーカー装置
【請求項２】
上部支持部材が、溝切りマーカー装置本体の横長支持バーに係合される取付フレームとこの取付フレームから前方へ一体に突出した前向きプレートに支点孔とこの支点孔を中心とする円弧長孔を形成したベース部材と、
このベース部材の前向きプレートの側面に前記支点孔と円弧長孔に対応する支軸とガイドピンを介して回動位置可変に係着され、側面にねじロッド係着ナットを固着した回動ブロックと、
前記回動ブロックのねじロッド係着ナットに伸縮螺合する第１ねじロッドを有し、このねじロッドの上端に、ブラケットを取付けたべースブロックを一体に結合し、このベースブロックの裏側に第２のねじロッドを貫通させる係着部材を一体に設けた角度調整部材と、
第２ねじロッドの係着部材に貫通させた第２ねじロッドの上端と前記角度調整部材のベースブロックのブラケット間にチェーンなどの締付帯を連結し、ベースブロックの先端と締付帯の間に作業機のトップリンク連結アームを挾持して第２ねじロッドの先端側からナットで緊縛する締め付け手段と、を具備することを特徴とする請求項１記載のガイドライン溝切りマーカー装置
【請求項３】
溝切りマーカー装置本体の前記上記下部支持部材と上部支持部材を作業機のリンク位置に応じて横長支持バーに沿って位置可変に取付けできるようにするとともに、下部取付部材がプレートを一体に有し、このプレートをロワリンク取付プレートのリンクピン孔にロワリンクの枢支部を挾んで連結するようにしたことを特徴とする請求項１又は２記載のガイドライン溝切りマーカー装置
【発明の詳細な説明】
【技術分野】
【０００１】
本発明はトラクタなどの牽引機と播種機や移植機などの作業機の前部に結合して、トラクタと作業機の間に割込み装着されるガイドライン溝切りマーカー装置に関し、特に、連結位置の異なる多種作業機とトラクタの間に共通に装着できるガイドライン溝切りマーカー装置に関する。
【発明の開示】
【発明が解決しようとする課題】
【０００２】
播種機や移植機は側方に線又は筋状のガイドライン形成手段が付設されており、復路の牽引トラクタはこのラインを目安にして走行しているが、このラインは圃場の平坦面につけた線でしかないのでオペレータの目視でトラクタをこの線に正確に合わせて走行することが困難であり、往路と復路の幅にばらつきが生ずる。他方、播種や移植の後の中耕除草作業に使用されるカルチベータの横幅及び作業条数は必ずしも播種機、移植機と一致していないので幅にばらつきがある状態でカルチベータを導入すると幅が合わず除草の際に支障をきたす。
【０００３】
播種機や移植機の作業機に予め溝切りマーカー装置を一体に取付けることも検討したが、マーカー装置を本体に負荷することによって生ずる作業機自体の必要強度に対応することが困難であり、また、作業機の製造コストが増大する。
【０００４】
仮に、これらの問題がクリアされたとしても、既存の作業機にそのまま適用す
ることはできない。
【０００５】
従って、本発明の第１の目的は、従来のトラクタと作業機の牽引機構と位置関係を保持したままトラクタと作業機の間に着脱自在に割込み装着ができるとともに、往路作業の際に復路のトラクタタイヤ追従通路が形成され、これにより播種、移植の幅合わせが容易に保証されるとともに、除草作業の幅合わせと一致する溝ガイドを形成することができるガイドライン溝切りマーカー装置を提供することにある。
【０００６】
本発明の第２の目的は、トラクタ連結リンクの取付け位置が異なる多種多様の作業機に共通に適用することができる上記ガイドライン溝切りマーカー装置を提供することにある。
【課題を解決するための手段】
【０００７】
上記第１の目的を達成するために、本発明は、トップリンクとロワリンクで連結されるトラクタと作業機の間に装着されるガイドライン溝切りマーカー装置であって、横長支持バーの長手方向に沿って複数本の下向き溝切りアームを所定間隔で取付けた溝切りマーカー装置本体と、溝切りマーカー装置本体の前記横長支持バーに沿って取付けられ、作業機のロワリンク取付プレートに結合される下部支持部材と、溝切りマーカー装置本体の前記横長支持バー中央部に取付けられ、作業機のトップリンク取付部付近のフレームに結合される上部支持部材とを具備し、トップリンクとロワリンクの取付位置を変えずに、上記下部支持部材と上部支持部材により、溝切りマーカー装置本体がトラクタと作業機間に装着されるようにしたことを特徴とする。
【０００８】
上記第２の目的を達成するために、本発明は、上記のガイドライン溝切りマーカー装置において、前記の上部支持部材を、溝切りマーカー装置本体の横長支持バーに係合される取付フレームとこの取付フレームから前方へ一体に突出した前向きプレートに支点孔とこの支点孔を中心とする円弧長孔を形成したベース部材と、このベース部材の前向きプレートの側面に前記支点孔と円弧長孔に対応する支軸とガイドピンを介して回動位置可変に係着され、側面にねじロッド係着ナットを固着した回動ブロックと、前記回動ブロックのねじロッド係着ナットに伸縮螺合する第１ねじロッドを有し、このねじロッドの上端に、ブラケットを取付けたべースブロックを一体に結合し、このベースブロックの裏側に第２のねじロッドを貫通させる係着部材を一体に設けた角度調整部材と、第２ねじロッドの係着部材に貫通させた第２ねじロッドの上端と前記角度調整部材のベースブロックのブラケット間にチェーンなどの締付帯を連結し、ベースブロックの先端と締付帯の間に作業機のトップリンク連結アームを挾持して第２ねじロッドの先端側からナットで緊縛する締め付け手段と、で構成したことを特徴とする。
【０００９】
上記発明はいずれも、溝切りマーカー装置本体の前記上記下部支持部材と上部支持部材を作業機のリンク位置に応じて横長支持バーに沿って位置可変に取付けできるようにするとともに、下部取付部材がプレートを一体に有し、このプレートをロワリンク取付プレートのリンクピン孔にロワリンクの枢支部を挾んで連結するようにするのが望ましい。
【発明の効果】
【００１０】
本発明はトラクタと播種機や移植機などの作業機の間にガイドライン溝切りマーカー装置が装着されているのでトラクタを走行させると播種や移植作業と同時に圃場面に溝切りガイドラインが形成される。従って、ラインに沿ってトラクタを走行するだけでガイドライン間の中央に作物の播種や移植が行われると同時に次のトラクタ走行タイヤが追従するガイドラインが自動的に形成されているので、ラインに沿った走行が容易になるとともに、圃場全体の植付け幅合わせが保証される。
【００１１】
また、本発明の装置によって形成されるガイドライン溝は播種や移植の際の隣合わせの幅合わせが一定になることにより、植付け時のガイドとしての役割に加えて、植付け作業が完了した後のカルチベータ作業（中耕除草作業）の際のガイドとして利用することもできる。
【００１２】
本発明のガイドライン溝切りマーカー装置は、トラクタと作業機の位置関係及びリンク機構を干渉することなくトラクタと作業機の間に着脱自在に装着できるので、１台のガイドライン溝切りマーカー装置を多種多様の複数の作業機に共通に使用することができるとともに、既存の作業機にも適用することができるので付加価値が著しく増大する。
【発明を実施するための最良の形態】
【００１３】
以下、本発明の実施例を添付図面に基づいて説明する。
図１乃至図４の実施例による本発明のガイドライン溝切りマーカー装置１は、横長支持バー２の長手方向に沿って複数本（図の実施例では５本）の溝切りアーム３を下方の土壌面に向けて取付けた溝切りマーカー装置本体１´を備えている。
【００１４】
溝切りマーカー装置本体１´の横長支持バー２は、四角形の外筒２ａの左右両端に、先端に１本の前記溝切りアーム３を固定した内筒２ｂ、２ｃを伸縮自在に嵌合し、ねじ４で所定位置に固定するようになっているとともに、横長支持バー２の外筒２ａに装着される溝切りアーム３は摺動可能の取付金具５を介して位置変動可能に固定され、溝切りアーム３全体を等間隔で固定してある。これらの溝切りアーム３の爪本体３ａは、各々、前記取付金具５に結合した連結フレーム３ｂに所定の下向き角度で固定されている。
なお、本発明のガイドライン溝切りマーカー装置１によって形成される「ガイドライン」とは、好ましくは、トラクタの走行タイヤの底部が沈み、追従案内路となるような溝を意味する。従って、溝切りアーム３の先端の爪本体３ａは、図１８に示すように、所定の幅と地中に食い込み刃先を有する断面逆Ｖ字形の金具を使用するのが望ましい。
取付金具５は横長支持バー２に沿って摺動可能に係合した相対する取付枠を抱き合わせ、横長支持バー２の所望位置でボルト６で締め付けて固定するようにしてある。
【００１５】
他方、図５乃至図８に示すように、トラクタＢに牽引される作業機Ａは、作業機前面に固定した横方向のフレーム７の左右にロワリンク８を軸着するプレート９が一体に結合されているとともに、フレーム７の中央部に、トップリンク１０を軸着するブラケット１１の取付フレーム１２が固定されており、左右のロワリンク８、８と中央のトップリンク１０で３点リンクを構成している。
【００１６】
本発明のガイドライン溝切りマーカー装置１は作業機Ａ前面のロワリンク取付プレート９、９とトップリンク取付ブラケット１１付近のフレーム１２に組付けてトラクタＢと作業機Ａの間に割込ませるように装着されるものであり、このため、ガイドライン溝切りマーカー装置１は、作業機Ａのロワリンク取付プレート９に結合される左右２ヶ所の下部支持部材１３、１３が前記溝切りマーカー装置本体１´の横長支持バー２に沿って取付けられているとともに、横長支持バー２の中央部に作業機Ｂの前記トップリンク取付ブラケット１１付近のフレーム１２に結合される上部支持部材１４が結合されている。
【００１７】
図の実施例の下部支持部材１３は、図１乃至図８に示すように、横長支持バー２に摺動させて所望位置でボルト１５で固定される抱き合わせブラケット１６を有し、ブラケット１６の裏側（後側）に作業機Ａの前記ロワリンク取付プレート９に結合されるプレート１７が固着されている。好ましくは、このプレート１７はロワリンク取付プレート９のロワリンクピンのねじ部に共挾みで軸着する。
【００１８】
図の実施例の上部支持部材１４は、図９乃至図１１に示すように、溝切りマーカー装置本体１´の前記横長支持バー２に係合される取付フレーム１８から前方へ突き出した前向きプレート１９に支点孔２０とこの支点孔２０を中心とする円弧長孔２１を形成したベース部材２２を有し、このベース部材２２の側面に、ピン２３を介して回動ブロック２４を揺動可能に係着するとともに、円弧長孔２１を挿通したピン２５を介して回動ブロック２４を前向きプレート１９の円弧長孔２１の所望回動位置に固定するようになっている。
【００１９】
前記回動ブロック２４の外側面にねじロッド螺合ナット２６が一体に固着されており、このねじロッド螺合ナット２６には、上端にベースブロック２７を一体固着した第１ねじロッド２８が伸縮螺合されるようになっている。
第１ねじロッド２８の上端のベースブロック２７は、長手方向に形成した複数貫通孔２９の左右にブラケット３０をボルト３１とナット３２で上下位置可変に固着し、このブラケット３０の突起部にチェーンなどの鋼製締付帯３４の一端を係着する駒３３がボルト３１とナット３２で軸着されるようになっている。
【００２０】
他方、前記ベースブロック２７の裏側に第１ねじロッド２８と平行の貫通孔（図は省略）を形成した受け部材３５が固着されており、この受け部材３５の貫通孔には先端に前記締付帯３４の他端を係着した第２ねじロッド３６を通し、先端側からナット３７を螺合して締付けるように組付けられる。
【００２１】
上記のようにして、上部支持部材１４は図９の部材を図１０、図１１に示すように組付け、図１２に示すように取付フレーム１８を横長支持バー２に係合させ、ベースブロック２７の先端と締付帯３４の間に作業機Ａの取付フレーム１２を介在させて第１ねじロッド螺合ナット２６と第２ねじロッド３６のナット３７を締付けることにより作業機Ａのトップリンク１０を連結したブラケット１１付近の取付フレーム１２にしっかり固定される。
【００２２】
かくして、本発明のガイドライン溝切りマーカー装置１は、図６乃至図８のように、下部支持部材１３、１３及び上部支持部材１４を介して作業機Ａ前部のフレーム７、フレーム１２に装着され、図５のようにトラクタＢと作業機Ａの間に割込ませて配設される。
【００２３】
播種機や移植機等の作業機は機種によってロワリンク８とトップリンク１０の取付位置関係は一定ではなく、ロワリンク８の取付軸に対してトップリンク１０の取付フレーム１２の位置が上下及び前後に異なっている場合が多い。
ロワリンク８とトップリンク１０の取付位置関係が異なる多種多様の作業機に溝切りマーカー３の角度を一定に保持する機構が必要であるが、本発明は上部支持部材１４を上記のように構成したことにより、図１３乃至図１７に示すように、上部支持部材１４の円弧長孔２１による第１ねじロッド２８の回動角度調整及び第１ねじロッド２８と第２ねじロッド３６の伸縮調整により、ロワリンク８とトップリンク１０の位置変化に対応して溝切りマーカー３の角度を一定に保持した状態で共通のガイドライン溝切りマーカー装置を作業機に結合することができる。
【産業上の利用可能性】
【００２４】
本発明は、ガイドライン溝切りマーカー装置をトラクタとの間に割込ませて播種機や移植機に装着したことにより、トラクタ走行のガイドが形成されるので作物列の幅合わせ作業が容易になり、作業能率が向上する。また、圃場全体の作物列の幅が一定に保証されることにより、このガイドラインは播種、移植作業後のカルチベータによる中耕除草作業の中心合わせガイドラインとして活用できるので実用性が高い。
さらに、多種多様の作業機に共用できるとともに、溝切りマーカー装置のない既存の作業機にも利用できるので付加価値が高まる。
【図面の簡単な説明】
【００２５】
【図１】本発明によるガイドライン溝切りマーカー装置の斜視図
【図２】図１の正面図
【図３】図１の平面図
【図４】図３の側面図
【図５】トラクタと作業機間への本発明の装置の割込み装着側面図
【図６】作業機前面フレームへの装着平面図
【図７】図６の正面図
【図８】図６の斜視図
【図９】上部支持部材の部品分解図
【図１０】上部支持部材の組立斜視図
【図１１】上部支持部材の正面図
【図１２】作業機への上部支持部材の結合部分拡大斜視図
【図１３】ロワリンクとトップリンクの位置が異なる多種作業機への上部支持部材の取付説明図
【図１４】ロワリンクとトップリンクの位置が異なる多種作業機への上部支持部材の取付説明図
【図１５】ロワリンクとトップリンクの位置が異なる多種作業機への上部支持部材の取付説明図
【図１６】ロワリンクとトップリンクの位置が異なる多種作業機への上部支持部材の取付説明図
【図１７】ロワリンクとトップリンクの位置が異なる多種作業機への上部支持部材の取付説明図
【図１８】溝切りアームの側面図
【符号の説明】
【００２６】
１…ガイドライン溝切りマーカー装置
１´…溝切りマーカー装置本体
２…横長支持バー
２ａ…外筒
２ｂ、２ｃ…内筒
３…溝切りアーム
３ａ…爪本体
３ｂ…連結フレーム
４…ねじ
５…取付金具
６…ボルト
７…フレーム
８…ロワリンク
９…ロワリンク取付プレート
１０…トップリンク
１１…トップリンク取付ブラケット
１２…フレーム
１３…下部支持部材
１４…上部支持部材
１５…ボルト
１６…ブラケット
１７…プレート
１８…取付フレーム
１９…前向きプレート
２０…支点孔
２１…円弧長孔
２２…ベース部材
２３…ピン
２４…回動ブロック
２５…ピン
２６…ねじロッド螺合ナット
２７…ベースブロック
２８…第１ねじロッド
２９…貫通孔
３０…ブラケット
３１…ボルト
３２…ナット
３３…駒
３４…締付帯
３５…受け部材
３６…第２ねじロッド
３７…ナット
Ａ…作業機
Ｂ…トラクタ
【図１】
2006320283.tif 000003
【図２】
2006320283.tif 000004
【図３】
2006320283.tif 000005
【図４】
2006320283.tif 000006
【図５】
2006320283.tif 000007
【図６】
2006320283.tif 000008
【図７】
2006320283.tif 000009
【図８】
2006320283.tif 000010
【図９】
2006320283.tif 000011
【図１０】
2006320283.tif 000012
【図１１】
2006320283.tif 000013
【図１２】
2006320283.tif 000014
【図１３】
2006320283.tif 000015
【図１４】
2006320283.tif 000016
【図１５】
2006320283.tif 000017
【図１６】
2006320283.tif 000018
【図１７】
2006320283.tif 000019
【図１８】
2006320283.tif 000020